(57)【要約】【課題】支柱の側面部から離れた位置に設備ユニットを簡単且つ確実に取付ける。支柱の側面部から離れた位置に設備ユニットを取付けるための軸体が外部に露出しないようにして外観を良くする。支柱の側面部から離れて位置する設備ユニットに配線を簡単に導入できると共に配線が外部に露出しないように通すことができる。【解決手段】支柱１の側面部にスペーサ４を介して設備ユニット２の側面部を取付ける。スペーサ４が、一端部を支柱１の側面部に固着し且つ他端部を設備ユニット２に固着する軸体５と、該軸体５に被せられるカバー６とで構成される。カバー６内に支柱１内の配線用通路３から引き出した配線７を挿通させて横幅の狭い設備ユニット２側に導入させるための配線用空間８を設ける。【選択図】図１
2008280757.tif 000002
【特許請求の範囲】
【請求項１】
支柱の側面部にスペーサを介して設備ユニットの側面部を取付け、上記スペーサが、一端部を支柱の側面部に固着し且つ他端部を設備ユニットに固着する軸体と、該軸体に被せられるカバーとで構成され、上記カバー内に支柱内の配線用通路から引き出した配線を挿通させて設備ユニット側に導入させるための配線用空間を設けて成ることを特徴とする機能門柱。
【請求項２】
カバーの内部に配線保持部を突設すると共に、該配線保持部の先端部に軸体が挿通保持される軸体挿通部を設けて成ることを特徴とする請求項１記載の機能門柱。
【請求項３】
軸体挿通部に挿通した軸体の一端部に設けた雄ねじ部を支柱の側面部に設けたねじ孔に螺着すると共に該軸体の他端部を設備ユニットの側面部にねじにより固定し、カバーが支柱又は設備ユニットに対して上記軸体を中心に回るのを防止するための回り止め防止手段を設けて成ることを特徴とする請求項２記載の機能門柱。
【請求項４】
一対の支柱間に上下方向に複数の設備ユニットを配設し、複数の設備ユニットは少なくとも正面視における横幅が異なる２種類以上のものが設けられ、正面視における横幅が長い設備ユニットの両側面部をそれぞれ支柱に固着し、正面視における横幅の狭い設備ユニットを支柱に取付けるに当たって、少なくとも一方の支柱に対しては該支柱の側面にスペーサを介して取付けることを特徴とする請求項１乃至請求項３のいずれか一項に記載の機能門柱。
【発明の詳細な説明】
【技術分野】
【０００１】
本発明はインターホン、表札、ポスト等の設備ユニットを備えた機能門柱に関する。
【背景技術】
【０００２】
従来から敷地の玄関先に立設される機能門柱が知られている。この機能門柱として一対の支柱間に支持桟を架設し、支持桟上に設備ユニットを載設して支持桟に設備ユニットを取付け、支持桟内に設けた配線用通路に支柱内から配線を導入し、支持桟の配線用通路から設備ユニット内に配線を導入するようにしたものが、特許文献１により知られている。
【０００３】
また、この特許文献１には一対の支柱間に複数の支持桟を架設し、各支持桟の上にそれぞれ同じ幅のボックス状をした設備ユニットを上下方向に配設するものが開示してある。
【０００４】
しかしながら上記特許文献１に示された従来例にあっては、一対の支柱間に架設した支持桟上に設備ユニットを載置して取付けるので、設備ユニットを上下に複数配設する場合、上下の設備ユニット間には必ず支持桟が存在することになり、上下方向に設備ユニット同士を当接して正面視で一体物のような統一された外観とすることはできない。また、支柱から設備ユニット内に配線を通すに当たり、支柱内の配線用通路に通して配線を支柱の側面部の配線通し孔から配線を横方向に曲げて支持桟内に通し、更に、支持桟内に通した配線を上方に向けて曲げて設備ユニットの底部から設備ユニット内に導入するようにしており、配線を曲げる回数が増えて、配線作業がし難いという問題がある。
【０００５】
また、上記従来例にあっては、正面視で同じ幅のボックス状をした設備ユニットを一対の支柱間に上下に配設することが開示してあるに止まり、正面視における横幅が異なる２種類以上の設備ユニットを一対の支柱間にどのようにして取付けるかということについては開示してない。
【０００６】
また、上記従来例にあって、ボックス状をした設備ユニットは両側面部を一対の支柱に取付けるのではなく、下面のみを支持桟に取付けるだけなので、設備ユニットの取付けが安定しないという問題がある。
【特許文献１】特公平０４−３２０４号公報
【発明の開示】
【発明が解決しようとする課題】
【０００７】
本発明は上記従来の問題点に鑑みて発明したものであって、従来のように支持桟を設けることなく支柱の側面部から離れた位置に設備ユニットを簡単且つ確実に取付けると共に支柱の側面部から離れた位置に設備ユニットを取付けるための軸体が外部に露出しないようにして外観を良くすることができ、また、支柱の側面部から離れて位置する設備ユニットに配線を簡単に導入できると共に配線が外部に露出しないように通すことができる機能門柱を提供することを課題とするものである。
【課題を解決するための手段】
【０００８】
上記課題を解決するために本発明に係る機能門柱は、支柱１の側面部にスペーサ４を介して設備ユニット２の側面部を取付け、上記スペーサ４が、一端部を支柱１の側面部に固着し且つ他端部を設備ユニット２に固着する軸体５と、該軸体５に被せられるカバー６とで構成され、上記カバー６内に支柱１内の配線用通路３から引き出した配線７を挿通させて設備ユニット２側に導入させるための配線用空間８を設けて成ることを特徴とするものである。
【０００９】
このような構成とすることで、従来のように支柱１間に支持桟を架設することなく設備ユニット２をスペーサ４を介して支柱１の側面部に隙間を介して取付けることができるとともに、支柱１の側面部に設備ユニット２の側面部を連結して固着するための軸体５にカバー６を被せるので、軸体５が外部に露出しないようにでき、また、この軸体５が外部に露出しないように軸体５に被せるカバー６内に設けた配線用空間８を利用して、支柱１内の配線用通路３から引き出した配線７を配線用空間８を通して設備ユニット２内に導入することが可能となる。更に、従来のように支持桟を必要としないので、支柱１の側面部から離れた位置において設備ユニット２同士を上下に当接した状態で取付けることも可能となり、機能門柱全体としての統一感を出すことができる。
【００１０】
また、カバー６の内部に配線保持部９を突設すると共に、該配線保持部９の先端部に軸体５が挿通保持される軸体挿通部１０を設けることが好ましい。
【００１１】
このような構成とすることで、カバー６の軸体挿通部１０に軸体５を挿通保持してカバー６により軸体５を覆うことができると共に、カバー６内に設けた配線用空間８に通す配線７を配線保持部９で保持することができて、軸体５の周りで配線７がねじれないようにすることができる。
【００１２】
また、軸体挿通部１０に挿通した軸体５の一端部に設けた雄ねじ部１１を支柱１の側面部に設けたねじ孔１２に螺着すると共に該軸体５の他端部を設備ユニット２の側面部にねじ１３により固定し、カバーが支柱１又は設備ユニット２に対して上記軸体５を中心に回るのを防止するための回り止め防止手段１４を設けることが好ましい。
【００１３】
このような構成とすることで、スペーサ４を介して横幅の狭い設備ユニット２ｂを軸体５を用いて簡単に取付けることができ、しかも、回り止め防止手段１４によりスペーサ４が軸体５を中心に回るのを防止でき、正確な姿勢で確実にスペーサ４を介して横幅の狭い設備ユニット２ｂを取付けることができる。
【００１４】
また、一対の支柱１間に上下方向に複数の設備ユニット２を配設し、複数の設備ユニット２は少なくとも正面視における横幅が異なる２種類以上のものが設けられ、正面視における横幅が長い設備ユニット２の両側面部をそれぞれ支柱１に固着し、正面視における横幅の狭い設備ユニット２を支柱１に取付けるに当たって、少なくとも一方の支柱１に対しては該支柱１の側面にスペーサ４を介して取付けることが好ましい。
【００１５】
このような構成とすることで、正面視で横幅の異なる２種類以上の設備ユニット２を一対の支柱１間に上下に配置して取付けることができ、また、従来のように支柱１間に支持桟を架設することなく設備ユニット２の両側面部を一対の支柱１に対して取付けることができる。
【発明の効果】
【００１６】
本発明は上記のように構成したので、簡単な構成で支柱の側方に隙間を介して取付けることができるとともに、支柱の側面部に設備ユニットの側面部を連結して固着するための軸体にカバーで覆って軸体が外部に露出しないようにできて外観が向上する。また、この軸体が外部に露出しないように軸体に被せるカバー内に設けた配線用空間を利用して、支柱内の配線用通路から引き出した配線を配線用空間を通して設備ユニット内に導入することが可能となり、支柱内の配線用通路から設備ユニット内に配線を導入するに当たって、カバー内から真っ直ぐに配線を設備ユニット内に導入できて配線作業が容易となり、また、配線が露出しないので外観が良くなる。また、従来のように支持桟を必要としないので、支柱の側面部から離れた位置において設備ユニット同士を上下に当接した状態で取付けることも可能となり、機能門柱全体としての統一感を出すことができ、この点でも外観が良くなる。また、従来のように支持桟を必要としないので、支柱の側面部から離れた位置において設備ユニット同士を上下に当接した状態で取付けることも可能となり、機能門柱全体としての統一感を出すことができる。
【発明を実施するための最良の形態】
【００１７】
以下、本発明を添付図面に示す実施形態に基づいて説明する。図１は本実施形態の一例の機能門柱の全体斜視図であり、図２は機能門柱の正面図及び側面図、図３は分解斜視図である。
【００１８】
機能門柱は、玄関先の地面１５等に垂直に立設される一対の支柱１と、一対の支柱１間に上下方向に複数配設される設備ユニット２を備えている。
【００１９】
一対の支柱１は金属製であり、この一対の支柱１のうち少なくとも一方の支柱１は内部に配線用通路３が設けてある。添付図面に示す実施形態では一対の支柱１はいずれも内部が配線用通路３となった筒状柱体により構成してある例が示してある。なお、一対の支柱１の内部がいずれも配線用通路３となっていても、現場においていずれか一方に配線７を通すようにしてもよく、また、両方に配線を通すようにしてもよい。
【００２０】
支柱１は図２に示すように地面１５等に立設されるのであるが、立設施工の際に、地中に埋設した電線管（図示せず）内に挿通した配線７を、支柱１の下端部に設けた配線導入部１６から支柱１内の配線用通路３に導入するようになっている。
【００２１】
一対の支柱１の下端部間には抜け止め１７が架設してあって、一対の支柱１を地中に埋める（地面を構成するコンクリート中に埋設する）際に該抜け止め１７を地面を構成するコンクリート中に埋設して一対の支柱１を抜けないように立設できるようになっている。
【００２２】
一対の支柱１の対向する側面部にはそれぞれ後述の設備ユニット２を取付けるためのねじ孔１２が上下方向に複数設けてあり、更に、該一対の支柱１の対向する側面部には上下方向の１乃至複数個所に配線通し孔１８が設けてある。図４、図５、図６に示すように、配線通し孔１８にはゴム製などのブッシュ６０を嵌め込んであり、配線通し孔１８から配線７を導出する場合に配線７が配線通し孔１８の縁で傷付かないようにしている。
【００２３】
一対の支柱１間に上下方向に複数配設される設備ユニット２としては、少なくとも正面視における横幅が異なる２種類以上のものが用いられる。
【００２４】
すなわち、添付図面に示す実施形態では正面視における横幅が長い設備ユニット２ａとして宅配ボックスユニットを例示し、また、正面視における横幅が狭い設備ユニット２ｂとしては、ポストユニット２ｂ１、インターホンユニット２ｂ２、表札ユニット２ｃ３を例示している。また、添付図面に示す実施形態ではポストユニット２ｂ１、インターホンユニット２ｂ２、表札ユニット２ｃ３の正面視における横幅は同じとなっている。
【００２５】
設備ユニット２の両側面部にはねじ挿入孔２０が設けてある。更に、正面視における横幅が狭い設備ユニット２ｂには上記ねじ挿入孔２０に加え、回り止めねじ挿通孔２１が設けてある。また、正面視における横幅が狭い設備ユニット２ｂのうち、内部に配線７を導入する横幅が狭い設備ユニット２ｂの側面部には配線導入孔２２が設けてある。配線導入孔２２には図４、図６に示すように、ゴム製などのブッシュ６０を嵌め込んであり、配線導入孔２２から配線７を導入する場合に配線７が配線導入孔２２の縁で傷付かないようにしている。
【００２６】
一対の支柱１の下部間には正面視における横幅が長い設備ユニット２ａとして宅配ボックスユニットを配設して取付けるようになっている。
【００２７】
正面視で横幅が長い設備ユニット２ａである宅配ボックスユニットは、一対の支柱１間に配設されて両側面部を取付けアダプタ１９を用いて取付けてある。
【００２８】
正面視で横幅の短い設備ユニット２ｂであるポストユニット２ｂ１、インターホンユニット２ｂ２は一対の支柱１間の上記宅配ボックスよりも上方位置に配置され、支柱１の側面部との間にスペーサ４を介して取付けられる。
【００２９】
スペーサ４は、一端部を支柱１の側面部に固着し且つ他端部を正面視における横幅の狭い設備ユニット２ｂに固着する軸体５と、該軸体５に被せられるカバー６とで構成してある。
【００３０】
軸体５は図８に示すようなもので金属製であり、軸体５の軸方向の一端面部から軸方向に該軸体５よりも小径の雄ねじ部１１が突設してあり、軸体５の軸方向の他端面部には雌ねじ穴２３が設けてある。
【００３１】
カバー６は金属製で円筒状をしており、図７に示すように内面の周方向の複数個所から内方に向けて配線保持部９を軸方向の全長にわたって突設してあり、配線保持部９の先端部に軸方向の全長にわたって軸体挿通部１０を設けてある。図７の実施形態では軸体挿通部１０が複数のＣ字状をした部位により構成してあるが、軸体挿通部１０が断面円状をしたものであってもよい。軸体挿通部１０の中心がカバー６の中心と一致している。カバー６内にはカバー６の内面部と軸体挿通部１０との間に軸方向の両端部が開口した配線用空間８が形成してあり、この配線用空間８は複数の配線保持部９により周方向に複数に区分けしてある。また、カバー６の内部にはタッピングホール２５となるリブ部が軸方向にわたって形成してある。
【００３２】
軸体５は雄ねじ部１１を支柱１のねじ孔１２にねじ込んで固着することで支柱１の側面部から軸体５を側方に突出させる。該軸体５に円筒状のカバー６の軸体挿通部１０を被嵌して挿通支持させ、円筒状のカバー６の一端部を支柱１の側面に当接させる。
【００３３】
正面視で横幅の短い設備ユニット２ｂは側面部の外面側を上記軸体５及びカバー６の他端部に当接し、この状態で、正面視で横幅の短い設備ユニット２ｂの側面部に設けたねじ挿入孔２０からねじ１３を挿入して軸体５の雌ねじ穴２３にねじ込んで固着する。また、回り止めねじ挿通孔２１から回り止めねじ２４を挿入して回り止めねじ２４をカバー６のタッピングホール２５にねじ込む。このようにして、軸体５とカバー６とで構成されるスペーサ４を介して横幅の短い設備ユニット２ｂの側面部を支柱１の側面部から側方に離した状態で支柱１に取付ける。
【００３４】
ここで、回り止めねじ２４をタッピングホール２５にねじ込むことで、カバー６が支柱１又は設備ユニット２に対して上記軸体５を中心に回るのが防止されるようになっており、したがって、本実施形態では回り止めねじ２４とタッピングホール２５とで回り止め防止手段１４を構成している。
【００３５】
上記のようにして正面視で横幅の短い設備ユニット２ｂを複数個（実施形態ではポストユニット２ｂ１とインターホンユニット２ｂ２）それぞれ一対の支柱１間にスペーサ４を介して取付けるのであるが、正面視で横幅の短い設備ユニット２ｂの取付けに当たって、正面視で横幅の短い設備ユニット２ｂの両側面部を一対の支柱１の対向側面部にそれぞれスペーサ４を介して取付けるので、従来のように支柱１間に支持桟を架設して該支持桟上に設備ユニットを取付けるもののように支持桟が必要でなく、このため、正面視で横幅の短い設備ユニット２ｂを上下方向に互いに当接して重ね合わせた状態でそれぞれの設備ユニット２ｂの両側面部を一対の支柱１の側面部に離した状態で取付けることができ、これにより正面視で横幅の短い設備ユニット２ｂ間に支持枠が存在せず、正面視で横幅の短い設備ユニット２ｂがあたかも一体物のあるかのような統一感の取れた外観とすることができる。
【００３６】
また、正面視で横幅の短い設備ユニット２ｂを支柱１の側面部にスペーサ４を介して取り付けるので、図１、図２（ａ）に示すように、正面視で横幅の長い設備ユニット２ａと正面視で横幅の短い設備ユニット２ｂとを一対の支柱１間に上下方向に統一感のあるように複数配設して取付けることができることになる。
【００３７】
ここで、正面視で横幅の短い設備ユニット２ｂのうち内部に配線７を導入する必要があるものの場合（例えば正面視で横幅の短い設備ユニット２ｂは内部に配線７を導入する必要がある）は、上記支柱１の側面部にスペーサ４を取付ける際に、図４に示すように、支柱１内の配線用通路３に挿通され且つ支柱１の側面部の配線通し孔１８から外部に導出された配線７をカバー６内に形成した配線用空間８に挿通して横幅が狭い設備ユニット２ｂの側面部に形成した配線導入孔２２から設備ユニット２ｂ内に横方向に真っ直ぐに導入し、設備ユニット２ｂ内において設備ユニット２ｂに設けた電気機器（実施形態ではインターホン）と電気的に接続するものである。この場合、配線用空間８に横方向に挿通した配線７を曲げることなく横方向に真っ直ぐに配線導入孔２２から設備ユニット２ｂ内に導入できるので、配線７の設備ユニット２ｂへの導入が容易にできることになる。
【００３８】
配線用空間８は複数の配線保持部９により周方向に複数に区分けしてあるので、いずれかの配線用空間８に導入された配線７は配線保持部９により周方向に保持されてカバー６内で周方向にねじれるのが防止されることになる。また、異なる種類の配線７を配線用空間８内に導入するような場合は、周方向に複数に区分けされた別々の配線用空間８にそれぞれ異なる種類の配線７を別々に導入することができ、異なる種類の配線７がカバー６内で互いに接触したり、絡み合ったりすることないようにできる。
【００３９】
また、回り止めねじ２４とタッピングホール２５とで構成した回り止め防止手段１４によりカバー６が支柱１又は設備ユニット２に対して上記軸体５を中心に回るのが防止してあるので、配線用空間８に挿通した配線７がカバー６と共に周方向に回るのが防止され、配線７の切断等が防止される。
【００４０】
添付図面に示す実施形態では、正面視で横幅の短い設備ユニット２ｂを上下方向に複数個重ねて取付ける例が示してある。すなわち、一対の支柱１間にポストユニット２ｂ１を配置してポストユニット２ｂ１の両側面部をそれぞれ上記のようにしてスペーサ４を介して一対の支柱１の側面部に取付け、一対の支柱１間にインターホンユニット２ｂ２を配置すると共にインターホンユニット２ｂ２の下面を上記ポストユニット２ｂ１の上面に載置した状態で上記のようにしてスペーサ４を介して一対の支柱１の側面部に取付けてあり、更に、インターホンユニット２ｂ２を取付ける際に、複数のスペーサ４のうち一つのスペーサ４の内部に設けた配線用空間８を介して支柱１の配線用通路３から導出した配線７をインターホンユニット２ｂ２内に導入してある。ここで、複数のスペーサ４のうち、配線７を実際に通さない場合は、回り止めねじ２４をタッピングホール２５に螺合しなくてもよいが、配線７を実際に通さないスペーサ４の場合も回り止めねじ２４をタッピングホール２５に螺合してもよい。
【００４１】
インターホンユニット２ｂ２は、図３に示すように、主体を構成する前後に開口した四角筒状をした金属製のボックス本体２６の上面に断面逆Ｌ字状をした金属製のインターホン台座２７の上面片２７ａを載置すると共に前面片２７ｂをボックス本体２６の前端開口部に取付け、前面片２７ｂの前面にインターホン装置２８を取付けて構成してあり、ボックス本体２６の側面部にねじ挿入孔２０、回り止めねじ挿通孔２１、配線導入孔２２が設けてある。インターホン台座２７の上面片２７ａの左右両側（正面から見て左右両側）には上方に向けて差込溝３９を構成する逆Ｌ字状片を突設してある。
【００４２】
そして、上記のようにして正面視で横幅の短い設備ユニット２ｂをポストユニット２ｂ１の上面に載置した状態で上記のようにしてスペーサ４を介して一対の支柱１の側面部に取付けた後、スペーサ４内の配線用空間８を介してインターホンユニット２ｂ２内に導入した配線７を、ボックス本体２６の後端開口部を利用して上記配線７とインターホン装置２８とを接続する作業を行う。
【００４３】
配線の接続作業が終わると、ボックス本体２６の後端開口部には蓋２９を着脱自在に取付けて後端開口部を閉じる。
【００４４】
インターホンユニット２ｂ２には該インターホンユニット２ｂ２と正面視で同じ横幅の金属製の表札ユニット２ｃ３を載設して取付けてある。
【００４５】
表札ユニット２ｃ３は、図３、図５に示すように、側面視略山形状に形成したアルミ型材からなる表札部材３０で構成してある。表札部材３０の左右幅寸法はボックス本体２６の左右方向の幅寸法と同じであり、また表札部材３０の前後長さはボックス本体２６の前後長さと略同じである。これらボックス本体２６の前後長さ及び表札部材３０の前後長さはそれぞれ支柱１の前後長さと略同じ（詳しくは若干短い）である。
【００４６】
表札部材３０は山形状の前側傾斜面を構成する前側傾斜板３１と後側傾斜面を構成する後側傾斜板３２を備えている。前側傾斜板３１の前面には表示部３３として居住者の名前等の表札表示を記している。前側傾斜板３１は前側に行く程下り傾斜しているため、表札部材３０の前方に居る人が表札部材３０よりも上方の位置から表示部３３を見た場合に視認しやすいという利点がある。
【００４７】
前側傾斜板３１及び後側傾斜板３２の下部同士は表札部材３０の左右方向の全長に亘る横片状の連結片部３４によって一体に連結して補強されている。連結片部３４の前部には下方に向けて側断面Ｌ字状の係止片部３５を一体に突設してあり、該係止片部３５の横片部３６は前方に向けて突出している。
【００４８】
前側傾斜板３１及び後側傾斜板３２の夫々の下端部は連結片部３４よりも下方に突出し、このうち前側傾斜板３１の下端部は前側載置部４３となっている。一方、後側傾斜板３２の下端には載置片部３７ａを後方に向けて一体に突設してあり、該載置片部３７ａが後側載置部３７となっている。後側傾斜板３２の下端部に設けた後側載置部３７の後端部は下方に延出されて縦片状の覆部３８を形成してあり、該覆部３８と載置片部３７ａとで側断面逆Ｌ字状をなしている。覆部３８には前後方向に貫通するビス挿通用の孔を穿設している。
【００４９】
表札部材３０をボックス本体２６に取り付けるには、まず、各係止片部３５の横片部３６をインターホン台座２７上の各差込溝３９に挿入して、各係止片部３５をインターホン台座２７に設けた被係止片部４１に係止すると共に、前側載置部４３及び後側載置部３７をボックス本体２６の上面の前縁部及び後縁部の夫々に載置し、表札部材３０の覆部３８に設けた孔にビス４４を挿通し、該ビス４４をボックス本体２６の後端開口部の上端開口縁部に設けたねじ孔部に螺合することで、表札部材３０がボックス本体２６に本固定される。
【００５０】
このように添付図面に示す実施形態では、正面視で横幅の短い複数の設備ユニット２ｂのうち表札ユニット２ｃ３だけはスペーサ４を介して支柱１の側面部に取付けるではなく、下段のインターホンユニット２ｂ２に載設して取付けてある。
【００５１】
支柱１の上端部にはそれぞれ連結金具５０を嵌め込んで取付けてあり、連結金具５０の上端部にはキャップ４９が被着される。
【００５２】
一対の支柱１間には上部蓋５１が配設されて上部蓋５１の両端部が一対の支柱１の上端部に取付けた連結金具５０に取付けられる。
【００５３】
上部蓋５１には下面が開口する凹部が形成してあり、該凹部の下開口部には上部蓋カバー５２が取付けられる。上部蓋カバー５２の上面部には電源ユニット４８、端子台５４、ＬＥＤのような発光部５３等が設けてあり、支柱１内の配線用通路３に挿通した配線７を支柱１の上端から上部蓋５１内に導入して端子台５４に接続してあり、端子台５４から電源ユニット４８を介して発光部５３に電源を供給するようになっている。
【００５４】
上部蓋カバー５２の中央部には窓部５５が設けてあり、表札部材３０の山形状の頂部の真上に隙間５６を介して上記窓部５５が位置し、窓部５５の真上に発光部５３が位置するように構成してある。
【００５５】
そして、発光部５３からの光が窓を５５を介して下方に照射され、光は隙間５６を介して前側傾斜板３１及び後側傾斜板３２にあたって前方や後方に反射し、この場合、発光部５３からの光は表札部材３０の前方だけではなく後方にも至るので、あたかも表札部材３０が前後方向に発光するような照明を行うことができる。
【００５６】
なお、本発明において、一対の支柱１間に正面視で横幅が等しい設備ユニット２のみを上下方向に複数配設して取付ける場合は、スペーサ４を介在することなく、支柱１の側面部に設備ユニット２の側面部を直接ねじで取付けることができる。
【図面の簡単な説明】
【００５７】
【図１】本発明の機能門柱の全体斜視図である。
【図２】（ａ）（ｂ）は同上の機能門柱の正面図及び側面図である。
【図３】同上の機能門柱の分解斜視図である。
【図４】同上のインターホンユニットの一対の支柱への取付け部分を示す拡大正面図である。
【図５】同上の側面断面図である。
【図６】同上の配線を通している部分を説明する断面図である。
【図７】（ａ）は同上に用いるカバーの断面図であり、（ｂ）は同上のカバーに軸体を挿通し且つ配線を通すことを説明する断面図である。
【図８】同上に用いる軸体を示し、（ａ）は正面図であり、（ｂ）は左側面図であり、（ｃ）は右側面図である。
【符号の説明】
【００５８】
１  支柱
２  設備ユニット
３  配線用通路
４  スペーサ
５  軸体
６  カバー
７  配線
８  配線用空間
９  配線保持部
１０  軸体挿通部
１１  雄ねじ部
１２  ねじ孔
１３  ねじ
１４  回り止め防止手段
【図１】
2008280757.tif 000003
【図２】
2008280757.tif 000004
【図３】
2008280757.tif 000005
【図４】
2008280757.tif 000006
【図５】
2008280757.tif 000007
【図６】
2008280757.tif 000008
【図７】
2008280757.tif 000009
【図８】
2008280757.tif 000010